(57)【要約】【課題】複数位置を切り替える上で小型・軽量化された開閉器用操作部を提供することを目的とする。【解決手段】  上記の課題を解決するために、本発明に係る開閉器用操作部は、回転体１ａと、回転体の回転運動に連動して動作するロッドと、回転体１ａを複数位置に回転可能な駆動力を生ずる操作力発生部４３と、操作力発生部４３及び回転体１ａに接続されて操作力発生部４３が発生する略直線状の操作力を回転体１ａの回転力に変換する連結部を備え、操作力発生部４３以外の外力で回転体１ａを回転させることで、連結部は変位可能であり、操作力発生部４３以外の外力による連結部の変位の前後で、操作力発生部４３の操作力に対する回転体１ａの回転方向が逆になることを特徴とする。【選択図】  図１
2014165033.tif 000002
【特許請求の範囲】
【請求項１】
回転体と、回転体の回転運動に連動して動作するロッドと、前記回転体を複数位置に回転可能な駆動力を生ずる操作力発生部と、前記操作力発生部及び前記回転体に接続されて前記操作力発生部が発生する略直線状の操作力を前記回転体の回転力に変換する連結部を備え、
前記操作力発生部以外の外力で前記回転体を回転させることで、前記連結部は変位可能であり、
前記操作力発生部以外の外力による前記連結部の変位の前後で、前記操作力発生部の操作力に対する前記回転体の回転方向が逆になることを特徴とする開閉器用操作部。
【請求項２】
請求項１に記載の開閉器用操作部であって、
前記連結部は、前記操作力発生部側に接続される操作器側連結部材と、前記回転体側に接続される回転体側連結部材を備え、
該操作器側連結部材及び該回転体側連結部材は、支点を介して連結されると共に、該支点を中心に回動可能に連結され、
前記支点は、前記連結部における前記操作力発生部との連結位置と、前記連結部における前記回転体との連結位置とを結んだ直線上から一方側にずれた位置に設けられ、
前記操作力発生部以外の外力により、前記支点は、前記連結部における前記操作力発生部との連結位置と、前記連結部における前記回転体との連結位置とを結んだ直線上から他方側にずれた位置に変位させられることを特徴とする開閉器用操作部。
【請求項３】
請求項２に記載の開閉器用操作部であって、
前記操作力発生部は、略直線状に２つの位置で停止可能であり、
該開閉器用操作部は該開閉器用操作部に接続される一又は二以上の開閉器について、投入・遮断・断路・接地の４位置を切替可能であり、
該開閉器における遮断位置から断路位置への切替が、前記操作力発生部以外の外力による前記支点の変位により行われることを特徴とする開閉器用操作部。
【請求項４】
請求項２または３に記載の開閉器用操作部であって、
前記回転体は歯車であり、前記ロッドは該歯車と嵌め合わせ可能な凹凸部を備えていることを特徴とする開閉器用操作部。
【請求項５】
請求項２ないし４のいずれか一つに記載の開閉器用操作部であって、
前記回転体は回転中心に駆動軸を備え、かつ該駆動軸の回転に伴って回転し、
前記連結部は該駆動軸に連結されることを特徴とする開閉器用操作部。
【請求項６】
請求項５に記載の開閉器用操作部であって、
更に前記駆動軸と嵌め合い可能な回転補助道具を備えており、該回転補助道具は前記外力を印加可能であることを特徴とする開閉器用操作部。
【請求項７】
請求項２ないし６のいずれか一つに記載の開閉器用操作部であって、
前記操作力発生部及び前記操作器側連結部材に接続されるリンク部と、
該リンク部の周囲に設けられて、該リンク部の運動が所定の略直線状からずれないようにするガイド部と、
該リンク部及び前記操作器側連結部材を連結すると共に、取り外し可能な連結部品とを更に備え、
前記リンク部及び前記操作器側連結部材は、前記連結部品を中心に回動可能に連結されることを特徴とする開閉器用操作部。
【発明の詳細な説明】
【技術分野】
【０００１】
本発明は、受配電設備等に使用される電力用の開閉器の電圧・電流の投入、遮断、断路、接地を行うための操作部に関するものである。
【背景技術】
【０００２】
受電設備においては、負荷電流あるいは事故電流を遮断するための主回路スイッチ部と、負荷の保守点検を行う際に作業者の安全を確保するための断路スイッチ部と接地回路スイッチ部と、系統電圧電流の検出装置と、更に保護リレーなどを筐体内に収納した閉鎖形配電盤を設置している。このスイッチ部の絶縁方式は、多種多様で、従来から気中絶縁盤、ＳＦ６ガスを使用したキュービクル形のガス絶縁スイッチギヤ（ＧＩＳ）に加えて、昨今では、環境対応の観点から固体絶縁、圧縮空気絶縁、全真空絶縁方式のものが登場していると共に、各絶縁方式によって、遮断器、断路器、断路といった機能を、１つのスイッチ部に集約したものとして３位置形、または接地位置を含めた４位置等の複数位置型の真空開閉器が提案されている。
【０００３】
その様な投入、遮断の他に断路の位置を取る３位置型の開閉スイッチ、もしくは投入、遮断の他に断路、接地の位置を取る４位置型の開閉スイッチに関するものとして、例えば特許文献１に記載されたものがある。該特許文献には、第１の電磁操作機構と第２の電磁操作機構とを備え、両操作機構の可動鉄心を共通の操作ロッドに配置しており、閉・開・接地位置を切り替える操作機構や、更に断路操作のための第３の電磁操作機構を備えて、断路位置への切替も可能にした操作機構が開示されている。
【先行技術文献】
【特許文献】
【０００４】
【特許文献１】特開２００９−８０９４１号
【発明の概要】
【発明が解決しようとする課題】
【０００５】
上述した開閉器は、投入、遮断の他に断路の位置を取る３位置型の開閉スイッチ部、もしくは投入、遮断の他に断路、接地の位置を取る４位置型の開閉スイッチ部を収納した真空容器を筐体内部に収納したものであり、小型、軽量で信頼性が高いため、例えば、都市部での配電設備の重要設備に対して、小型、軽量化のニーズに対応し得るものである。しかし、上記の開閉器用の操作部によれば、連続動作毎に駆動力装置が必要になり、小型化等には改善の余地がある。そこで本発明では、複数位置を切り替える上で小型・軽量化された開閉器用操作部を提供することを目的とする。
【課題を解決するための手段】
【０００６】
上記の課題を解決するために、本発明に係る開閉器用操作部は、回転体と、回転体の回転運動に連動して動作するロッドと、前記回転体を複数位置に回転可能な駆動力を生ずる操作力発生部と、前記操作力発生部及び前記回転体に接続されて前記操作力発生部が発生する略直線状の操作力を前記回転体の回転力に変換する連結部を備え、前記操作力発生部以外の外力で前記回転体を回転させることで、前記連結部は変位可能であり、前記操作力発生部以外の外力による前記連結部の変位の前後で、前記操作力発生部の操作力に対する前記回転体の回転方向が逆になることを特徴とする。
【発明の効果】
【０００７】
本発明によれば、複数位置を切り替える上で小型・軽量化された開閉器用操作部を提供することが可能になる。
【図面の簡単な説明】
【０００８】
【図１】実施例に係るスイッチギヤの側断面図である。
【図２】実施例で説明する操作部の投入位置の歯車と連結絶縁ロッドを示す平面図である。
【図３（ａ）】実施例で説明する操作部の遮断位置の歯車と連結絶縁ロッドを示す平面図である。
【図３（ｂ）】実施例で説明する連結解錠機構を示す図である。
【図４（ａ）】実施例で説明する操作部の断路位置の歯車と連結絶縁ロッドを示す平面図である。
【図４（ｂ）】実施例で説明する回転補助道具を示す図である。
【図５】実施例で説明する操作部の接地位置の歯車と連結絶縁ロッドを示す平面図である。
【発明を実施するための形態】
【０００９】
以下、本発明を実施する上で好適な実施例について図１ないし図５を用いて説明する。尚、下記はあくまでも実施の例に過ぎず、実施の態様を下記具体的態様に限定する趣旨でないことは言うまでもない。
【００１０】
図１に示す様に、本実施例で説明するスイッチギヤは、筺体１３内に、三相の母線４０と（図１では三相の母線は示されるが、開閉器ユニット４６やケーブル４２等については一相分のみを示している。他の相についても基本的に同様の構成となる）、該母線４６に接続されると共に、投入、遮断、断路及び接地の４位置の切り替えるスイッチを備える開閉器ユニット４６と、開閉器ユニット４６にケーブルヘッド４５を介して接続されて負荷側へと電力供給を行うケーブル４２と、開閉器ユニット４６内のスイッチ部を操作する操作器（操作力発生部）４３と、過電流検出時や落雷時等に機器を保護する保護継電器等を収納する制御機器室４４から概略構成される。操作器４３は、電磁石等を用いて構成され、略直線状の駆動力ＭＧ１を発生させる。
【００１１】
開閉器ユニット４６は、互いに対向して配置される固定電極５及び可動電極２５からなる接点４７を２つ備え、投入・遮断・断路位置を切り替えると共に、内部が真空絶縁されている主回路用スイッチ部２１と、互いに対向して配置される固定電極及び可動電極を備え、可動電極が接地電位とされており、可動電極を固定電極に投入することで、固定電極側を接地させる接地回路用スイッチ部２０と、主回路用スイッチ部２１に設けられる一方の固定電極５と接地回路用スイッチ部２０の固定電極間を電気的に接続する接続導体４８と、主回路用スイッチ部２１、接地回路用スイッチ部２０及び上記接続導体４８を一体にエポキシ等の樹脂で固体絶縁する絶縁容器４とを備えている。主回路用スイッチ部２１に設けられる他方の固定電極５は、母線４０側と接続される。上記接続導体４８は、絶縁容器４から引き出され、ケーブルヘッド４５を介してケーブル４２に接続される。
【００１２】
主回路用スイッチ部２１からは可動電極２５に接続される可動ロッドが引き出され、該可動ロッドは主回路用絶縁ロッド２３に接続される。また、主回路用スイッチ部２１からは主回路用スイッチ部２１内の可動電極に接続される可動ロッドがベローズを介して絶縁容器外に引き出され、該可動ロッドは接地回路用絶縁ロッド２２に接続される。主回路用絶縁ロッド２３には支持軸８を中心に回転する主回路用レバー６が連結され、主回路用絶縁ロッド２３の軸方向の可動に伴って、支持軸８を中心に回転する。接地回路用絶縁ロッド２２には支持軸８を中心に回転する接地回路用レバー７が連結され、接地回路用絶縁ロッド２２の軸方向の可動に伴って、支持軸８を中心に回転する。接地回路用レバー７は、主回路用レバー６の回転と（少なくとも一部で）連動して回転し、接地回路用絶縁ロッド２２の軸方向の可動を実現する。主回路用絶縁ロッド２３は、凹凸部を備える連結絶縁ロッド１ｂと接続される。連結絶縁ロッド１ｂの凹凸部は、下述する歯車と嵌め合わせ可能に形成される。
【００１３】
図１ないし図３に示す様に、本実施例における操作部は、操作器４３と、歯車１ａと、操作器４３に接続されるリンク部１ｋと、連結部品１ｅを介してリンク部１ｋと一端が接続される操作器側の連結部材１ｃと、連結部材１ｃの他端に支点１ｉを介して連結されると共に、該支点１ｉを中心に回動可能に一端が連結される歯車側の連結部材１ｄと、連結部材１ｄの他端が固定される駆動軸１ｆと、歯車と嵌め合わせ可能な凹凸部を有する連結絶縁ロッド１ｂとを有する。駆動軸１ｆは、歯車１ａの回転中心に備えられ、歯車１ａと一体となって回転するものである。そして支点１ｉは、リンク部１ｋと操作器４３との連結位置と、連結部材１ｄにおける歯車１ａとの連結位置（本実施例においては歯車１ａの回転中心である駆動軸に一致）とを結んだ直線上から一方側にずれた位置に設けられている。支点１ｉは、操作器４３以外の外力を加えることで当該直線上に対して他方側にずれた位置に変位させることが可能になっている。具体的な変位の手順については後述する。歯車１ａは、いずれの支点１ｉの位置でも操作器４３からの駆動力を受けることが可能である。
【００１４】
また、リンク部１ｋの周囲には、リンク部１ｋの運動が所定の略直線状からずれないようにするガイド部２４が設けられている。ガイド部２４により、リンク部１ｋの運動が所定のストロークから外れずに行える様になる。連結部材１ｃ、１ｄは、歯車１ａと略平行な面１ｇ内に配置され、操作器４３の駆動軸上の略直線状の駆動力から左右回転方向を誘導するものである。そして、本実施例におけるリンク部１ｋを動作させる操作器４３は、歯車１ａに近付く方向と離れる方向で２段動作する。
【００１５】
リンク部１ｋと連結部材１ｃを連結する連結部品１ｅは、投入（図２）⇔遮断(図３)の連続動作時及び断路（図４）⇔接地（図５）の連続動作時は操作器４３と連結される。一方、遮断（図３）と断路（図４）の連続動作時は連結解錠機構部により、操作器４３との連結が解錠される。
【００１６】
また、歯車１ａの回転中心に設けられる駆動軸１ｆには、回転補助道具１ｈの一端が取り付けまたは取り外しできる嵌め合い形状が形成される。そして、回転補助道具１ｈの他端には、ハンドル１ｈ‘が設けられる。回転補助道具１ｈは、支点１ｉを、リンク部１ｋと操作器４３との連結位置と連結部材１ｄにおける歯車１ａとの連結位置とを結んだ直線上から一方側にずれた位置から、他方側にずれた位置へ（駆動軸１ｆに対して反対側に）移動する（逆方向も含む）外力を印加できる。
【００１７】
図３（ｂ）に連結解錠機構を構成するリンク部１ｋ及び連結部材１ｃの連結時と解錠時の各状態を示す。操作器４３のリンク部１ｋと連結部材１ｃには、連結部品１ｅ（例えばボルト）が挿入できるピン穴が形成され、連結時は両ピン穴に連結部品１ｅを挿入し、止め部品１ｅ‘（例えばナット）により連結部品１ｅが抜けないように係止する。解錠時は止め部品１ｅ‘を外し、連結部品１ｅを外すことで、操作器４３のリンク部１ｋと歯車１ａの連結部材１ｃが分離される。
【００１８】
そして、図３（ａ）に示す遮断動作後に、連結解錠機構部によりリンク部１ｋと連結部材１ｃの連結を解錠し、その後、投入位置から遮断位置に移行する際の歯車１ａの回転方向と同じ方向に、回転補助道具１ｈ（図４（ａ）に示す）を用いて動作させる。即ち、回転補助道具１ｈを用いることで、支点１ｉを、リンク部１ｋと操作器４３との連結位置と連結部材１ｄにおける歯車１ａとの連結位置とを結んだ直線上より一方側にずれた位置から、他方側にずれた位置へ（駆動軸１ｆに対して反対側に）移動する外力を印加できる。歯車１ａを当該外力で回転させる距離は、スイッチ部における可動電極が遮断位置から断路位置に移動するために必要な距離に相当する。即ち移行に際しては、遮断動作後、リンク部１ｋと連結部材１ｃを解錠した後に回転補助道具１ｈを取り付け、作業者がハンドル１ｈ’を回転させて連結部材１ｄが反転する方向へと動作を行う。本動作過程で、歯車１ａと接触する連結絶縁ロッド１ｂの位置がｐ２の位置からｐ３の位置へと移動する。そして、当該移動後に、リンク部１ｋと連結部材１ｃとを再度連結させる。
【００１９】
この遮断から断路への動作により、リンク部１ｋと操作器４３との連結位置と連結部材１ｄにおける歯車１ａとの連結位置とを結んだ直線に対する支点１ｉの位置が反対となり、操作器４３が発生する同方向（リンク部１ｋが歯車１ａに近付く側または離れる側）の操作力に対する回転体の回転方向が逆転する。即ち、本実施例における構造では、投入位置において、リンク部１ｋが歯車１ａから離れれば歯車１ａは反時計回りに回転し、遮断位置において、リンク部１ｋが歯車１ａに近付けば歯車１ａは時計回りに回転していたが、断路位置においては、リンク部１ｋが歯車１ａに近付けば歯車１ａは反時計回りに回転し、接地位置においては、リンク部１ｋが歯車１ａから離れれば歯車１ａは時計回りに回転することになる。
【００２０】
続いて、図２ないし図５を用いて本実施例に係る４位置の動作を説明する。図２は投入位置における操作部の状態を示したものであるが、図３（ａ）に示す遮断位置から、操作器４３を操作してリンク部１ｋが歯車１ａに近付く方向（実線矢印方向）にリンク部１ｋを押込む。これにより、歯車１ａを時計回りに回転させ、連結絶縁ロッド１ｂがスイッチ部に近付く方向に駆動され、可動電極２５はを押し込まれる。この結果、接点４７が投入されることになる。
【００２１】
投入位置では、歯車１ａは、連結絶縁ロッド１ｂのｐ１位置で嵌め合っている。一方、遮断位置では、歯車１ａは、連結絶縁ロッド１ｂのｐ２位置で嵌め合っており、Ｇ１分だけ移動している。逆に、図２に示す投入位置から図３（ａ）に示す遮断位置に移行させる場合には、操作器４３により、リンク部１ｋが歯車１ａから離れる方向（点線矢印方向）にリンク部１ｋを引出して、歯車１ａを反時計回りに回転させる。これにより、連結絶縁ロッド１ｂをスイッチ部から離れる方向に駆動し、可動電極２５を固定電極５から遠ざけて接点４７を遮断する。
【００２２】
図３（ａ）は遮断位置を示したものであるが、この位置から図４（ａ）に示す断路位置に移行するに際しては、連結部品１ｅを取り外すことで操作器４３と連結部材１ｃの連結を外し、更に回転補助道具１ｈを駆動軸１ｆに嵌め込む。そして、作業者が回転補助道具１ｈのハンドル１ｈ‘を回転させて、連結絶縁ロッド１ｂをスイッチ部から離れる方向へと駆動し、可動電極２５を固定電極５からより遠ざける。これにより、接点４７を断路状態にする。その後、回転補助道具１ｈを駆動軸１ｆから取り外し、連結部品１ｅを取り付けることで、断路位置への移行が完了する。尚、遮断位置から断路位置への移行の際、歯車１ａの回転方向は、投入位置から遮断位置に移行する際に歯車１ａが回転した方向と同じ方向となる。遮断から断路への本移行過程により、支点の位置が変位し、操作器４３から同じ方向の力が印加されても歯車１ａが回転する方向は逆転する。
【００２３】
尚、遮断位置では、歯車１ａは、連結絶縁ロッド１ｂのｐ２位置で嵌め合っているが、断路位置では、歯車１ａは、連結絶縁ロッド１ｂのｐ３位置で嵌め合っており、Ｇ２分だけ移動している。また、断路位置では、耐雷などを行える必要があり、投入位置から遮断位置への移行距離以上に遮断位置から断路位置への移行距離を長くしている（Ｇ２＞Ｇ１）。
【００２４】
断路位置から遮断位置に移行する際にも、やはり連結部品１ｅを取り外して、操作器４３と連結部材１ｃの連結を外し、回転補助道具１ｈを駆動軸１ｆに嵌め込む。その後、ハンドル１ｈ‘を回転させて連結絶縁ロッド１ｂをスイッチ部に近付く方向に駆動し、接点４７を遮断位置へと移行させる。続いて、回転補助道具１ｈを駆動軸１ｆから取り外し、連結部品１ｅを取り付けることで、遮断位置への移行が完了する。尚、断路位置から遮断位置に移行させる場合には、回転補助道具１ｈによる歯車１ａの回転方向は、遮断位置から断路位置に移行させる場合とは逆になる。
【００２５】
図４（ａ）に示す断路位置から図５に示す接地位置に移行するに当たっては、操作器４３により、リンク部１ｋが歯車１ａに再び近付く方向（実線矢印方向）にリンク部１ｋを押す。今度は、遮断位置から投入位置に移行させた場合とは支点の位置が逆転しており、歯車１ａが反時計回りに回転する。これにより、連結絶縁ロッド１ｂはスイッチ部から離れる方向に駆動する。この際、連結絶縁ロッド１ｂに接続される主回路用絶縁ロッド２３もスイッチ部から離れる方向に駆動するが、本実施例において、主回路用絶縁ロッド２３には主回路用レバー６が接続され、接地回路用レバー７は、主回路用レバー６の回転と連動して回転するものとされている。よって、接地回路用絶縁ロッド２２が接地回路用スイッチ部２０の固定電極側に近付く方向へ移動し、接点が投入される。これにより、接続導体４８、ケーブルヘッド４５及びケーブル４２を経由して負荷側が接地される。尚、断路位置では、歯車１ａは、連結絶縁ロッド１ｂのｐ３位置で嵌め合っていたが、接地位置では、連結絶縁ロッド１ｂのｐ４位置で嵌め合っており、Ｇ３分だけ移動する。Ｇ１とＧ３は操作器４３による同じストロークにおける移動であるので、Ｇ１＝Ｇ３＜Ｇ２となる。
【００２６】
接地位置から断路位置に移行する際には、操作器４３により、リンク部１ｋが歯車１ａから離れる方向（点線矢印方向）にリンク部１ｋを引き出す。これにより、歯車１ａが時計回りに回転し、連結絶縁ロッド１ｂはスイッチ部に近付く方向へと駆動される。よって、連結絶縁ロッド１ｂに接続される主回路用絶縁ロッド２３もスイッチ部から離れる方向へと駆動する。主回路用絶縁ロッド２３には主回路用レバー６が接続されており、接地回路用レバー７は、主回路用レバー６の回転と連動して回転するものであるから、接地回路用レバー７に接続される接地回路用絶縁ロッド２２は接地回路用スイッチ部２０の固定電極側から離れる。これにより、接点が開かれ、接地位置から断路位置へと移行する。
【００２７】
本実施例によれば、操作器４３側に接続される連結部材１ｃと、歯車１ａ側に接続される連結部材１ｄと、自身を中心に回動可能に両者を連結する支点１ｉとを有し、支点１ｉは、連結部材１ｃと操作器４３との連結位置と、連結部材１ｄと歯車１ａとの連結位置とを結んだ直線上から一方側にずれた位置に設けられ、回転補助道具を通じた外力により、支点１ｉが当該直線上から他方側にずれた位置に変位出来る様にし、この変位の前後で操作器４３が発生させる操作力に対する歯車１ａの回転方向が逆になる様に形成している。よって、１つの操作器を用いても２つの位置以上の位置に停止させることが可能になり、２位置を超える位置の切替を行うことが可能になる。更に、２つの位置間を当該操作器以外の外力で切り替えることにより、４位置に切替を行うことが出来る。従って、４位置を切り替える上で、３つの操作器を設ける必要がなくなり、小型・軽量化された開閉器用操作部を提供することが可能になる。
【００２８】
また、歯車１ａ及び歯車１ａと嵌め合わせ可能な凹凸部を備えている連結絶縁ロッド１ｂとせずとも、回転体と回転体の回転運動に連動して動作するロッドを設ければ良い。歯車の嵌め合いにより動作力を伝達することは必須ではない。
【００２９】
尚、上記実施例では、操作器４３は略直線状に２位置を切替可能なものであったが、回転体を複数位置に回転可能な駆動力を生ずる操作器を用いることも可能であり、この場合更に多位置を切替可能になる。この場合も、本実施例における遮断⇔断路の様に、操作器の操作力に対する回転体の回転方向が逆になる様な動作を可能にしておけば良い。当該外力の動作以外は、逆方向に対称な動作が可能になる。
【００３０】
また、本実施例では操作器４３側に接続される連結部材１ｃと、歯車１ａ側に接続される連結部材１ｄと、自身を中心に回動可能に両者を連結する支点１ｉを設けて支点１ｉの位置を外力で切り替えて動作させたが、操作器４３及び回転体に接続されて操作器４３が発生する略直線状の操作力を回転体の回転力に変換する連結部を備え、かつ、操作器４３以外の外力で回転体を回転させることによって当該連結部が変位出来る様にし、更に当該変位の前後で、操作器４３の操作力に対する回転体の回転方向が逆になれば、操作器４３が発生させる操作力及び前記外力により、４位置に切替可能に構成できる。これによっても、操作器の数を減ずることが可能になる。
【００３１】
また本実施例では、４位置を切り替える上で、投入・遮断・断路・接地の４位置を切り替える場合を説明し、特に遮断⇔断路の切替を操作器４３以外の外力で行うこととしたが、この様に構成すると以下の利点がある。
【００３２】
即ち、開閉器の安全性の確保と通電性能の確保のためには、投入と遮断の連続動作時や断路と接地の連続動作時に要求される速い開閉速度を満たす必要がある。よって、これらの位置の切替時は、高速動作が可能な操作器４３(電磁石等)による駆動力で行うことが出来る。一方、中間位置である遮断と断路の連続動作時は上記と比較して高速な開閉速度は要求されない。そこで、遮断と断路の連続動作については操作器を用いない別の外力で行うことができる。そして、当該外力には手動も含まれる。即ち、要求される速度に応じて最適な速度で動作させることが出来る。
【符号の説明】
【００３３】
１ａ  歯車
１ｂ  連結絶縁ロッド
１ｃ  連結部材
１ｄ  連結部材
１ｅ  連結部品
１ｆ  駆動軸
１ｇ  歯車と平行な面
１ｈ  回転補助道具
１ｉ  支点
１ｋ  リンク部
４  絶縁容器
５  固定電極
６  主回路用レバー
７  接地回路用レバー
８  支持軸
１３  筐体
１４  回路スイッチ部
２０  接地回路用スイッチ部
２１  主回路用スイッチ部
２２  接地回路用絶縁ロッド
２３  主回路用絶縁ロッド
２４  ガイド機構
２５  固定電極
４０  母線
４２  ケーブル
４３  操作器
４４  制御機器室
４５  ケーブルヘッド
４６  開閉器ユニット
４７  接点
【図１】
2014165033.tif 000003
【図２】
2014165033.tif 000004
【図３（ａ）】
2014165033.tif 000005
【図３（ｂ）】
2014165033.tif 000006
【図４（ａ）】
2014165033.tif 000007
【図４（ｂ）】
2014165033.tif 000008
【図５】
2014165033.tif 000009